(57)【要約】  照明デバイスは、キャリアボード、及びキャリアボードに設けられた照明要素のアレイを有する。キャリアボードは、概してスパイラルの形状を持ち、該キャリアボードは、１つ以上の同一の他のキャリアボードと、巻線が互いに交互配置されるようにテセレーションされ得る。これは、複数のキャリアボードが、殆ど又は全く材料を無駄にすることなく単一の基板から形成されることを可能にする。異なるデザインは、２つ、４つ又はさらに多くの異なる同一のキャリアボードの形状が、一緒にテセレーションすることを可能にする。
2018525792.tif 000002
【特許請求の範囲】
【請求項１】
キャリアボード、及び
前記キャリアボードに設けられた照明要素のアレイ、
を有する照明デバイスであって、
前記キャリアボードは、該キャリアボードが、１つ以上の同一形状又は類似形状の他のキャリアボードと、巻線が互いに交互配置されるようにテセレーションされることができるような、少なくとも２つの収束巻線を備えるコイル形状を持ち、
前記巻線は、複数の直線状セクションを有し、コイルに沿った隣接する前記セクション間の角度は９０°であり、隣接する巻線間の垂直方向の間隔は一定であり、
前記直線状セクションは、狭い幅と広い幅とで変化する幅を持ち、前記照明要素は、広い幅を持つ部分に位置し、前記照明要素のアレイは、正方形又は長方形グリッドを形成する、照明デバイス。
【請求項２】
前記キャリアボードは、前記巻線が互いに交互配置されるように３つの同一又は類似の他のキャリアボードとテセレーションされ得る、請求項１に記載の照明デバイス。
【請求項３】
前記狭い幅の部分は、へこみにより形成され、交互直線状セクションの一方の組についての前記へこみは、内側縁にあり、交互直線状セクションの他方の組についての前記へこみは、外側縁にある、請求項１に記載の照明デバイス。
【請求項４】
電気コネクタが、コイル形状の最外端又はコイル形状に沿った中間位置に設けられる、請求項１乃至３のいずれか一項に記載の照明デバイス。
【請求項５】
照明デバイスを製造する方法であって、
キャリアボード上に照明要素のアレイを形成するステップ、
前記キャリアボードを少なくとも２つの同一形状又は類似形状のセクションに分割するステップであって、各セクションの前記照明要素のアレイは、正方形又は長方形グリッドを形成する、ステップ、
を有する方法であり、
各セクションは、複数の収束巻線を備えるコイル形状を持ち、前記巻線は、前記分割前に互いに交互配置されていて、
前記巻線は、複数の直線状セクションを有し、コイルに沿った隣接する前記セクション間の角度は９０°であり、隣接する巻線間の垂直方向の間隔は一定であり、
前記直線状セクションは、狭い幅と広い幅とで変化する幅を持ち、前記照明要素は、広い幅を持つ部分に位置する、方法。
【請求項６】
前記狭い幅の部分は、へこみにより形成され、交互直線状セクションの一方の組についての前記へこみは、内側縁にあり、交互直線状セクションの他方の組についての前記へこみは、外側縁にある、請求項５に記載の方法。
【発明の詳細な説明】
【技術分野】
【０００１】
本発明は、照明デバイスに関し、とりわけ、プリント回路基板等のボードに設けられたLED等の照明要素のアレイを有する照明デバイスに関する。
【背景技術】
【０００２】
一般照明では、低ピーク輝度を提供し、斯くして、快適な低グレア照明を提供するために、大面積光源がよく使用される。LEDアレイを有するLED照明器具では、小型で明るい個々のLEDが、大面積光源を作り出すために、プリント回路基板等の大面積ボード上に比較的離れて配置される必要がある。通常、斯かる光源は、個々のLEDを隠すために拡散板又は箔と組み合わされる。
【０００３】
LED技術のトレンドは、LEDの小型化、効率の向上（斯くして、熱散逸 (thermal dissipation)の低下）及びコストの削減である。結果として、LEDは、所要の熱的及び機械的設計の制約を満たすために、LEDあたりより少ないPCB領域を必要とする。PCBコストもまた、総コスト（すなわち部品表（BOM））のより重要な部分になっている。
【０００４】
このトレンドの結果として開発された１つのデザインは、いわゆるEパネルである。斯かるパネルでは、長方形のPCB領域が、全領域を依然カバーする2つの互いにかみ合った（E字状の）部分にボードを切断することによって二分される。
【０００５】
これにより、2つの同一の基板が、材料を無駄にすることなく単一のボードから形成されることができる。また、完全な領域を部分的にしか覆わないが、（直線状セグメント等の）複数のセグメントを結合する必要のない形状を形成することができる。LEDの規則的な配列は、E字状のボードに位置付けられ得る。
【発明の概要】
【発明が解決しようとする課題】
【０００６】
より高い効率及びより低いコストのトレンドが進むにつれて、Eパネルは、未使用のPCB領域のために依然としてコストペナルティを受ける。Eパネルのデザインでは、例えば、当初のボードを3つ以上の同一部分に切断することはできない。したがって、Eパネルのデザインはそれ程汎用性がない。それゆえ、未使用のPCB領域を減らすPCBボードの代替デザインの必要性がある。
【課題を解決するための手段】
【０００７】
本発明は、特許請求の範囲により規定される。
【０００８】
本発明の一態様による例によれば、キャリアボード、及び前記キャリアボードに設けられた照明要素のアレイを有する照明デバイスであって、前記キャリアボードは、該キャリアボードが、１つ以上の同一形状又は類似形状の他のキャリアボードと、巻線が互いに交互配置されるようにテセレーションされることを可能にするような、少なくとも２つの収束巻線を備えるコイル形状を持つ、照明デバイスが提供される。前記巻線は、複数の直線状セクションを有し、コイルに沿った隣接する前記セクション間の角度は９０°であり、隣接する巻線間の垂直方向の間隔は一定である。前記直線状セクションは、狭い幅と広い幅とで変化する幅を持ち、前記照明要素は、広い幅を持つ部分に位置し、前記照明要素のアレイは、正方形又は長方形グリッドを形成する。
【０００９】
「類似」及び「同様」という用語は、テセレーションされることができるボードが互いにスカラーストレッチされたバージョンであってもよいという点で数学的な意味において用いられる（すなわち、トポロジー的に類似している）。これは、例えば、同一のキャリアボード形状がテセレーションされ、そして、テセレーションされた構造がストレッチされ、個々の構成要素に分離される場合である。好ましくは、テセレーションされるキャリアボードは、全て同じ製品のサンプルを形成するように同一である。
【００１０】
コイル形状は、複数のキャリアボードが単一のテセレーションされたデザインとして初期的に製造されることができる一方、該キャリアボードの面積を減らすことを可能にする。
【００１１】
キャリアボードは、例えば、プリント回路基板を含んでもよいが、適切な熱的及び機械的安定性並びに電気的相互接続を提供する任意の基板が用いられてもよい。
【００１２】
これは、金属基板上に印刷された電気トレース等の印刷されたエレクトロニクスだけでなく、従来のPCB（マルチコアPCB又は単一コアPCB及び異なる材料のもの）を含む。
【００１３】
コイル形状は、収束巻線、すなわち、中心点に向かって収束する巻線を持つ。コイル巻線は、直線状セクションから形成される、すなわち、概ね多角形である。
【００１４】
巻線は、隣接する巻線間の垂直方向の間隔が一定であるように、コイルに沿って隣接するセクション間の90度の角度で直線状セクションを含む。これは、正方形（又は長方形）のスパイラル形状を有する構造を規定する。巻線間の一定の間隔は、当該間隔がアルキメデスの渦巻の正方形/長方形のバージョンとして述べられ得る形状を形成することを意味する。一定の間隔は、直線状セクションの幅の倍数に対応する。倍数は、最初のものと一緒にテセレーションされることができる他の同じ形状の数である。
【００１５】
キャリアボードは、互いに交互配置される巻線を有する1つの同一の他のキャリアボードとテセレーションされることができる。これら2つは、実質的に領域を一緒に満たすことができる。これは、2つの斯かるコイル形状が、ボード材料の最小限の無駄しかない又は無駄のないボードから形成され得ることを意味する。
【００１６】
照明要素のアレイは、規則的な正方形又は長方形のグリッドを形成する。これは、Eパネルデザインの代替案を提供する。
【００１７】
キャリアボードは、互いに交互配置される巻線を有する3つの同一の他のキャリアボードとテセレーションされることもできる。ここでも、これら4つは、実質的にボード領域を満たすことができる。これは、4つの斯かるコイル形状が、ボード材料の最小限の無駄しかない又は無駄のないボードから形成され得ることを意味する。
【００１８】
本発明による照明デバイスのデザインは、各々が照明要素の規則的な正方形又は長方形のグリッドを有するように、1つ以上の（例えば4つの）同一のコイル形状がテセレーションされ得ることを可能にする。これは、直線状セクションの幅が狭い幅と広い幅との間で変化し、照明要素が幅の広い部分に位置するためである。このようにして、1つの直線状セクションの幅の広い部分は、複数のコイルがテセレーションされる場合に、異なるコイルの側方に隣接する巻線の幅の狭い部分と噛み合う。
【００１９】
このデザインはまた、放熱が必要な各照明要素の周りの大きなキャリアボード領域と、相互接続部分における薄いキャリアボード領域とを提供し、ボード材料の使用がより効率的になる。
【００２０】
幅の狭い部分は、へこみ(indent)により形成され、交互直線状セクション(alternate straight section)の一方の組についてのへこみは、内側縁にあり、交互直線状セクションの他方の組についてのへこみは、外側縁にある。これは、異なるコイル間の各90°の回転で、1つのコイルの直線状セクションに沿った幅の広い部分が、隣接するコイルの隣接する直線状セクションの幅の狭い部分と噛み合うことを意味する。
【００２１】
本発明の他の態様による例は、照明デバイスを製造する方法であって、キャリアボード上に照明要素のアレイを形成するステップ、キャリアボードを少なくとも２つの同一形状又は類似形状のセクションに分割するステップであって、各セクションの照明要素のアレイは、正方形又は長方形グリッドを形成する、ステップを有する方法であり、各セクションは、複数の収束巻線を備えるコイル形状を持ち、巻線は、分割前に互いに交互配置されていて、巻線は、複数の直線状セクションを有し、コイルに沿った隣接するセクション間の角度は９０°であり、隣接する巻線間の垂直方向の間隔は一定であり、直線状セクションは、狭い幅と広い幅とで変化する幅を持ち、照明要素は、広い幅を持つ部分に位置する、方法を提供する。
【００２２】
このようにして、複数のボードが、はまり合う(tessellate together)同一の形状を分離することによって、単一の初期ボードから形成される。
【００２３】
狭い幅の部分は、へこみにより形成され、交互直線状セクションの一方の組についてのへこみは、内側縁にあり、交互直線状セクションの他方の組についてのへこみは、外側縁にあってもよい。
【００２４】
本発明のこれらの及び他の態様は、以下に述べられる実施形態を参照して明らかになり、詳述されるであろう。
【図面の簡単な説明】
【００２５】
ここで、本発明の例が、添付の図面を参照して詳細に述べられる。
【図１】スパイラルの形態で形成される照明デバイスの第１の例を示す。
【図２】種々の数の交互配置されるスパイラルを示す。
【図３】スパイラルの形態で形成される照明デバイスの第２の例を示す。
【図４】図３の２つの同一の照明デバイスのテセレーションを示す。
【図５】スパイラルの形態で形成される照明デバイスの第３の例を示す。
【図６】図５の照明デバイスが完全に規則的なグリッドにおいて照明要素をどのようにサポートできないかを示す。
【図７】図５の４つ同一の照明デバイスのテセレーションを示す。
【図８】スパイラルの形態で形成される照明デバイスの第４の例を示す。
【図９】互いに交互配置される図８の２つの同一の照明デバイスを示す。
【図１０】図８の４つの同一の照明デバイスのテセレーションを示す。
【図１１】照明デバイスを製造する方法を示す。
【図１２】図１０のデザインの伸長バージョンを示す。
【発明を実施するための形態】
【００２６】
本発明は、キャリアボード、及びキャリアボードに設けられた照明要素のアレイを有する照明デバイスを提供する。キャリアボードは、概してスパイラル（コイル状）の形状を持ち、該キャリアボードは、１つ以上の同一の他のキャリアボードと、巻線が互いに交互配置されるようにテセレーションされ得る。これは、複数のキャリアボードが、殆ど又は全く材料を無駄にすることなく単一の基板から形成されることを可能にする。異なるデザインは、２つ、４つ又はさらに多くの異なる同一のキャリアボードの形状が、一緒にテセレーションすることを可能にする。
【００２７】
図1は、スパイラルの形態で形成される照明デバイスの第1の例を示す。照明デバイスは、キャリアボード10、及びキャリアボードに設けられた照明要素12のアレイを有する。
【００２８】
本発明による全ての例において、キャリアボードは、複数の収束巻線を備えるコイル形状を持ち、キャリアボードは、巻線が互いに交互配置される1つ以上の同一の他のキャリアボードでテセレーションされることができる。
【００２９】
図1の例は、曲線状のスパイラル、具体的にはアルキメデスの螺旋である。これは、巻線間の距離dが一定であるという特性を有する。また、これは、複数の斯かる螺旋がテセレーションされ得るという特性も有する。テセレーションされ得る数は、巻線ピッチ（すなわち、間隔dとトラックの幅wとの和）をトラックの幅で割ったもの、すなわち、
N =（w + d）/ w
に相当する。
【００３０】
これは、N個のスパイラル状のデザインが、ボードの単一の領域から形成され、その後、例えばフライス加工、パンチング又は他の切断技術によって別々の同一領域に分離されることを意味する。切断された製品において、切断ラインの厚さが、その比率をわずかに変えるであろう。
【００３１】
スパイラル状のデザインは、幅と間隔を適切に選択することによって、任意の数のキャリアボードが規定されることを可能にする。各個別のボードは、熱的及び機械的サポート要件を満たす必要があり、さらに、照明要素12を収容するのに十分な幅を有する必要がある。必要とされる放熱が減るにつれて、キャリアボードの所要面積は減少し、幅wを減少させることができる。これは、より多くのキャリアボードが所与のエリアから形成されることを可能にし、コストを節約することができる。
【００３２】
照明要素はスパイラルパターンに従う。これは、照明要素が規則的な長方形又は六角形のグリッドとして配設され得ることを意味する。しかしながら、照明要素は、単位面積当たりの照明要素の密度が、ボードの領域にわたって実質的に一定であるように配設されることができる。例えば、照明要素は、スパイラルに沿って均等に、巻線ピッチ（w + d）又は巻線間隔（d）に等しいか又はほぼ等しい間隔（例えば、0.5d及び1.5（w + d ）の間）で離間されてもよい。
【００３３】
複数のスパイラルをテセレーションするために、隣接するスパイラル間の回転シフトが提供される。Ｎ個の同一のスパイラルの場合、隣接する交互配置されたスパイラル間の相対的な回転シフトは３６０／Ｎ°である。
【００３４】
図2は、3つの可能な交互配置されるスパイラルパターンを示す。図2は、各スパイラルの形状を、トラックとしてではなく、単純にするため線で示している。
【００３５】
図2（a）は、180°度回転シフトした2つの交互配置されるスパイラルを示す。
【００３６】
図2（b）は、90°回転シフトした4つの交互配置されるスパイラルを示す。
【００３７】
図2（c）は、45°回転シフトした8つの交互配置されるスパイラルを示す。
【００３８】
キャリアボードはプリント回路基板を含むが、適切な熱的及び機械的安定性並びに電気的相互接続を提供する任意の基板が用いられてもよい。
【００３９】
これは、金属基板上に印刷された電気トレース等の印刷されたエレクトロニクスだけでなく、従来のPCB（マルチコアPCB又は単一コアPCB、及び異なる材料のもの）を含む。
【００４０】
プリント回路基板は一般にラミネート構造であり、ラミネートは、任意の基板成形が行われる前の連続シートとして最も容易に形成される。斯くして、任意のパターン化された形状を形成すると、PCBの損失(wastage)が生じる。スパイラルを交互配置することによって、PCBの全領域（又はほぼ全領域）がキャリアボードを作成するために用いられる。
【００４１】
照明要素は、照明要素の駆動を可能にするため、導電性トラックによって互いに接続される。照明要素はすべて、直列、並列であってもよく、又は直列及び並列接続の組み合わせ、例えば、並列枝の組であって、各枝が一組の直列照明要素を担持してもよい。一例における接続端子（典型的には、アノード接続とカソード接続のみ）は、容易な電気接続を可能にするため、最も外側の巻線の端部に設けられる。それに代えて、接続は、接続点からスパイラルの端部まで用いられる電気的トラックの最大長を最小にするため、コイル形状に沿った中間位置にあってもよい。このようにして、スパイラルの長さ全体に沿った1つのトラックが、各々がスパイラルの長さの一部をカバーする2つのトラックに置換される。
【００４２】
スパイラル形状のキャリアボードを有する単一の照明デバイスが、照明製品に用いられてもよい。しかしながら、光出力を増加させるために、複数の照明デバイスが、単一の製品で用いられてもよい。したがって、単一のスパイラル状のデザインが、異なるタイプの照明製品に対してモジュール方式で用いられてもよい。一般に、完全数Nのスパイラルのサブセットが用いられる。N個のスパイラルがすべて製品に要求される場合、よりコスト効率が高いのは、単一のボードを提供すること（すなわち、切断及び分離プロセスを実行しないこと）である。しかしながら、これが製品範囲のほんの一部である場合、モジュラーアプローチを使用して製造することは依然としてより効率が高い可能性がある。N未満の任意の数について、複数の個別のスパイラルボードを使用することは、コスト効率が高い解決策である。
【００４３】
このデザインは容易に修正され得る。例えば、照明要素の位置及びカバーされる全領域(overall area covered)は、各照明要素のためのキャリアボード領域の必要性が減少する場合、スパイラル幅wを減少させながら同じに保たれてもよい。したがって、同じ光学デザインのより多くのキャリアボードが、各処理済みの全面キャリアボード(each processed full area carrier board)から作製され得る。
【００４４】
キャリアボードの外形は概して円形であるので、このデザインは、円形の製品にとってとりわけ興味深い。
【００４５】
上述したように、スパイラル形状は、望まれる可能性がある、照明要素の規則的な長方形又は正方形のグリッドを与えない。
【００４６】
図3は、照明デバイスの第2の例を示す。照明素子12が設けられるキャリアボード10は、ここでもコイル形状を有するが、滑らかなスパイラル(smooth spiral)ではなく、角度構造(angular structure)である。
【００４７】
この例において、巻線は、コイルに沿った隣接するセクション間に90°の角度を有する直線状セクション10a、10b、10c、10dを含む。隣接する巻線間の垂直間隔dは、やはり一定である。したがって、この構造は、正方形（又は長方形）のスパイラル形状を有する。
【００４８】
巻線間の一定の間隔dは、アルキメデスの渦巻の正方形/長方形のバージョンとして述べられ得る形状を形成することを意味する。一定の間隔dは、直線状セクションの幅wの倍数に相当する。倍数は、最初のものと一緒にテセレーションされ得る他の同じ形状の数である。
【００４９】
図3は、他の同一の１つのコイル形状とテセレーションされることができるデザイン、すなわち、（切断線の厚さを無視して）N =（d + w）/ w = 2であることを示す。
【００５０】
このデザインの利点は、照明要素12が規則的な正方形（又は長方形）のグリッドとして形成され得ることである。これは、全領域にわたる照明要素の均一な密度、したがって、均一な光出力を与える。
【００５１】
図4は、キャリアボード材料を無駄にすることなく、長方形領域を満たすようにテセレーションされる2つのキャリアボードを示す。斯くして、2つの照明デバイスは、一緒に製造され、その後、製造プロセスの終わりに分離される。
【００５２】
キャリアボードの外形は概して正方形/長方形であるので、このデザインは、正方形又は長方形の製品にとってとりわけ興味深い。
【００５３】
しかしながら、同様の正方形のスパイラル形状は、N = 4となるようにコイルの幅wを小さくすることによって、4つのキャリアボードを形成するために用いられてもよい。
【００５４】
図5は、N = 4である照明デバイスの第3の例を示す。このデザインは、巻線が相互に交互配置されてやはり実質的に領域を満たすように、3つの同一の他のキャリアボードとテセレーションされることができる。これは、4つの斯かるコイル形状が、ボード材料の無駄を最小限にするか又は全く有さないボードから形成され得ることを意味する。
【００５５】
図5の基本デザインにおいて、直線状セクションは、すべて一定の幅wである。
【００５６】
このデザインでは、照明要素をセクションの中央に配置することはできないが、規則的なグリッドを形成することができる。代わりに、照明要素のアレイは、照明要素の直線的な行及び列のグリッドを形成できるが、完全に規則的なグリッドは形成できない。グリッドは中央の規則性を失う。
【００５７】
図6は、規則的なグリッドがコイル形状の上にどのようにしてフィットするのが最良であるかを示し、照明要素12がコイルトラックのエッジに沿って常にセンタリングされていることを示す。斯くして、この構造は容易に製造することができない。
【００５８】
したがって、基本的な正方形のコイルデザインは、規則的なLEDグリッドが必要とされる場合、2つのキャリアボードを形成することしか可能にしない。
【００５９】
図5のデザインにおける光強度の変動は許容可能であろう。とりわけ、光強度の変動は、中央しか生じていない。光強度の変動は、異なる出力電力の照明要素を異なる場所に設けることにより補償されてもよい。
【００６０】
図7は、テセレーションされた図5の4つの同一の照明デバイスを示す。
【００６１】
図8は、照明要素の規則的なグリッドを維持しながら4つの同一のコイル形状を形成することを可能にする照明デバイスの第4の例を示す。
【００６２】
一般に、このデザインは、図3及び図5のデザインと同じ全体形状、すなわち、正方形/長方形のコイル構造を持つ。
【００６３】
しかしながら、直線状セクション10a、10b、10c、10dは、狭い幅w1と広い幅w2との間で変化する幅を有し、照明要素12は、幅の広い部分に配置される。直線状セクションは、これらが直線の軸方向に沿って延びるという意味において依然直線状である。
【００６４】
直線状セクションは、中心軸線80を有すると考えられてもよく（それらがこの軸に関して対称ではないにもかかわらず）、各直線状セクションは、狭い部分及び広い部分を有する。狭い部分は、中心軸80がセクションの領域の外側にあることを意味し、一方、広い部分は、中心軸がセクションの領域内にあることを意味する。このようにして、照明要素12は、中心軸80に沿って位置決めされることができる。このようにして、照明要素は、図6に示されるような様式で位置決めされることができる。
【００６５】
1つの直線状セクションの広い部分は、複数のコイルがテセレーションされる場合、異なるコイルの側方に隣接する巻線の狭い部分と噛み合う。
【００６６】
各直線状セクションの一方の縁は直線状であり、他方の縁は輪郭のある縁(profiled edge)を形成する。幅の狭い部分は、輪郭のある縁に沿ったへこみにより形成されてもよく、交互直線状セクションの一方の組についてのへこみは内側縁にあり、交互直線状セクションの他方の組についてのへこみは外側縁にある。従って、一方の組の交互直線状セクションの直線状の縁は外側縁にあり、他方の組の交互直線状セクションの直線状の縁は内側縁にある。
【００６７】
これは、テセレーションされた場合4つの異なるコイル間の各90°の回転で、1つのコイルの直線状セクションに沿った幅の広い部分が、隣接するコイルの隣接する直線状セクションの幅の狭い部分と噛み合うことを意味する。
【００６８】
図9は、互いに交互配置された図8の2つの同一の照明デバイスを示す。これは、モジュール式に、図8のデバイスの光出力フラックス(light output flux)を2倍にしたデバイスをもたらす。コイルは、照明要素の複合グリッドを均等に分布させるために（180°の回転シフトをもって）離間されている。
【００６９】
照明製品は、図8の1つ、2つ、3つ、又は4つすべての照明デバイスを用いてもよい。
【００７０】
図10は、テセレーションされた図8の4つの同一の照明デバイスを示し、どのようにして4つの照明デバイスが製造されるかを示している。
【００７１】
コイルの有限の幅は、それらが完全な点に収束しないことを意味する。この例において、中心にPCBボードの小さな星がある（これは、キャリアボードのいずれにも必要とされない）が、4つのコイルすべてが完全にテセレーションするようにコイル形状の最も内側の部分がデザインされることも等しく可能である。
【００７２】
4つのテセレーションされたコイルの外形は概して正方形であり、正方形のボードからの損失はほとんどない。
【００７３】
図示のデザインは、1つの軸に沿って伸ばされ、それによりすべての正方形のプロファイルを長方形のプロファイルに変換することも可能である。この場合、個々のボードはもはや同一ではないが、同一の機能を実行する。この場合、個々のボードは、互いのスカラー伸長バージョン(scalar stretched version)である。
【００７４】
照明デバイスの製造方法が、図11に示される。この方法は、
ステップ110における、キャリアボード上に照明要素のアレイを形成するステップ、及び
ステップ112における、キャリアボードを少なくとも2つの同一形状のセクション（図11に4つすべてが示されている）に分離するステップ（ここで、各セクションは上述のようにコイル形状を有する）、
を有する。
【００７５】
このようにして、複数のボードが、一緒にテセレーションする同一の形状を分離することによって、単一の初期ボードから形成される。ボードは、分離前に完全に製造されてもよい。
【００７６】
上述したように、本発明の根底にある概念は、正方形から長方形へのわずかなデザインの変更によっては変えられない。図12は、図10のデザインの伸長バージョンを示し、２つの個々のコイルを示している。  これらの形状は、もはや同一ではないが、互いのスカラー伸長バージョンであり、同一の機能を実現する点でトポロジー的に"類似"している。それぞれは、照明要素の規則的な長方形のアレイを与える。
【００７７】
ボード材料を無駄にしないという同じ利点が得られ、コイルテセレーションの同じ原理が適用される。
【００７８】
曲線上のスパイラルを使用する上記の例は、任意の数の交互配置されるキャリアボードが形成されることを可能にする。正方形ベースの角のあるデザインは、4次の回転対称の結果として、2つ又は4つの交互配置されるキャリアボードを可能にする。六角形ベースのデザインが用いられてもよい。
【００７９】
本発明は、トロファ及びダウンライト等の正方形又は円形の形状を有する一般照明照明器具にとって興味深い。
【００８０】
照明要素は、好ましくは、ソリッドステート照明要素であり、最も好ましくは、LEDである。
【００８１】
コイル形状のキャリアボードの外寸は、多くの異なるタイプの照明デバイスに適合するように様々な異なる値を有してもよい。
【００８２】
ダウンライトモジュールは、典型的には、60mmの直径を持つ。トロファは、典型的には、一部の地域では300 x 1200 mm又は600 x 600 mmに近く、ライトエンジンは、典型的には、200〜400 mmの正方形である。しかしながら、ライトトロファは、とりわけ米国では約600 × 1200 mm（2フィート×4フィート）であることがあり、この場合、光エンジンはより大きくなる可能性がある。
【００８３】
LEDの間隔は、LED上の拡散器の高さに依存する。典型的な値は1 ? 5 cmである。LEDがビームの広がりを改善するために光学素子と組み合わされる場合、又はトロファがかなり深い場合、5 〜 10 cmなどのより大きな間隔が用いられることができる。本発明は、大きな間隔にとりわけ有用であり、この場合、従来の解決策においては未使用のPCB領域が多く存在するからである。
【００８４】
コイル幅wは、例えば約10mm以下であり、典型的なLED間隔は、約35 ? 40 mmである。4つのコイルの場合、これは40mmのコイル間隔dを与える。へこみと組み合わせた場合、最も狭い部分は約5 mmになる。
【００８５】
電気的安全のために、トラックは、ボードの縁から約2 mmの間隔を必要とすることがある。これは、4つのスパイラルの場合に電気的に安全な製品を可能にするために、40 mmを超えるLED間隔が望ましいことを意味する。これは、基本的限界にはならない。なぜなら、電気的安全性は、ストリング電圧が低く、縁の安全マージンが小さくてもよいような、異なる電気的レイアウト（たとえば、すべてのLEDが直列ではない）ことによって解決されてもよいからである。
【００８６】
一般に、LEDの間隔は、典型的には、5 mm × スパイラルの数より大きく、へこみが用いられる場合10 mm × スパイラルの数より大きい。
【００８７】
請求項に記載の発明を実施する当業者は、図面、明細及び添付の請求項の研究から、開示されている実施例に対する他の変形を、理解し、達成し得る。請求項において、「有する」という用語は、他の要素又はステップを除外せず、単数形表記は、複数の存在を除外しない。単一のプロセッサ又は他のユニットが、請求項に列挙されたいくつかの項目の機能を果たすことができる。特定の手段が相互に異なる従属請求項に列挙されているという単なる事実は、これらの手段の組み合わせが有利に使用できないことを示すものではない。特許請求の範囲内のいかなる符号も、特許請求の範囲を限定するものとして解釈されるべきではない。
【図１】
2018525792.tif 000003
【図２（ａ）】
2018525792.tif 000004
【図２（ｂ）】
2018525792.tif 000005
【図２（ｃ）】
2018525792.tif 000006
【図３】
2018525792.tif 000007
【図４】
2018525792.tif 000008
【図５】
2018525792.tif 000009
【図６】
2018525792.tif 000010
【図７】
2018525792.tif 000011
【図８】
2018525792.tif 000012
【図９】
2018525792.tif 000013
【図１０】
2018525792.tif 000014
【図１１】
2018525792.tif 000015
【図１２】
2018525792.tif 000016
【国際調査報告】
2018525792.tif 000017
2018525792.tif 000018
2018525792.tif 000019